(57)【特許請求の範囲】
【請求項１】
第１および第２突出部を有する協動外筒と外筒と係合する引き込み式針とを有する１回使用引き込み式シリンジ用プランジャであって、
前記プランジャは引き込み式針と係合可能であると共に、第１および第２突出部によりそれぞれがスライド係合可能な相互接続された複数個のスロットを備え、
前記プランジャは、前記プランジャおよび該プランジャと係合した前記針の引き込み前および引き込み後の両方で複数個のスロットの少なくとも１個内での該少なくとも１個の突出部のスライド移動を制限する１つまたは複数の当接部からなる移動制限手段をさらに備える、プランジャ。
【請求項２】
第１スロットと、第２スロットと、引き込みスロットと、第４スロットとを備え、第１スロットが第１偏向部によって該第２スロットに接続され、第２スロットが第２偏向部によって引き込みスロットに接続され、引き込みスロットが第３偏向部によって第４スロットに接続され、第４スロットが第４偏向部によって第１スロットに接続された、請求項１に記載のプランジャ。
【請求項３】
前記移動制限手段は、プランジャの引き込みを制限するための、第１突出部により係合可能な複数個の当接部を第２スロット内に有する、請求項２に記載のプランジャ。
【請求項４】
前記移動制限手段は、プランジャの押込みを制限するための、第２突出部により係合可能な当接部を第１スロット内に有する、請求項２に記載のプランジャ。
【請求項５】
前記移動制限手段は、プランジャの引き込みを制限するための、第１突出部により係合可能な当接部を引き込みスロット内に有する、請求項２に記載のプランジャ。
【請求項６】
前記移動制限手段は、プランジャの押込みを制限するための、第２突出部により係合可能な当接部を引き込みスロット内に有する、請求項２に記載のプランジャ。
【請求項７】
１回使用の引き込み式シリンジであって、
（ｉ）第１突出部および第２突出部を有する外筒と、
（ｉｉ）請求項１〜６のいずれか一項に記載のプランジャと、
（ｉｉｉ）引き込み式針と、
を備え、前記プランジャと前記引き込み式針とが、液体を前記シリンジから放出すべく前記プランジャが押し込まれた後で係合可能であり、それによりシリンジの再使用が防止される、シリンジ。
【請求項８】
第１突出部がまず第１スロットと係合し、次に第２突出部が引き込みスロットと係合し、プランジャの引き込みが完了する前にプランジャの押込みを制限するため、第２突出部が引き込みスロットの当接部を越え、引き込みスロットの当接部が、第２突出部よりもプランジャの末端側で、該第２突出部と係合する、請求項７に記載の１回使用の引き込み式シリンジ。
【請求項９】
プランジャの引き込みの完了後、プランジャが９０°回転する請求項８に記載の１回使用の引き込み式シリンジ。
【請求項１０】
プランジャの押し込みが完了する前にプランジャの引き込みを制限するため、第１突出部が、第２スロット内の複数個の当接部の１つよりもプランジャの基端側の位置で、該第２スロット内の複数個の当接部の１つと係合する、請求項９に記載の１回使用の引き込み式シリンジ。
【請求項１１】
プランジャの引き込み中にプランジャが９０°回転する請求項１０に記載の１回使用の引き込み式シリンジ。
【請求項１２】
針の引き込み後、プランジャの押込みを制限するため、第２突出部が第１スロット内の当接部と係合する、請求項１１に記載の１回使用の引き込み式シリンジ。
【請求項１３】
針の引き込み後、プランジャの引き込みを制限するため、第１突出部が引き込みスロット内の当接部と係合する、請求項１１に記載の１回使用の引き込み式シリンジ。
【請求項１４】
前記プランジャと引き込み式針は前記シリンジから液体を放出させるために前記プランジャを押し込んだ後で係合可能であり、それによってシリンジの再使用が防止される、請求項１３に記載の１回使用の引き込み式シリンジ。
【請求項１５】
前記第１の突出部および第２の突出部が外筒のカラーの上に取り付けられている請求項７に記載の１回使用の引き込み式シリンジ。
【請求項１６】
まず第１スロットと、次に引き込みスロットと、それぞれ選択的に係合できるよう、第１および第２突出部が長手方向にオフセットされる、請求項１５に記載の１回使用の引き込み式シリンジ。
【発明の詳細な説明】
【０００１】
（発明の分野）
本発明はシリンジに関する。詳細には、本発明は１回使用のシリンジに関し、より詳細には、１回使用の引き込み式シリンジと、該シリンジ用のプランジャとに関する。
【０００２】
（背景技術）
シリンジの使い回しの問題は悪く評価されている。連続する使用者と使用者の間で十分な滅菌をしないでシリンジを使い回すことは、ヒト免疫不全ウィルスや肝炎の感染の主要な原因となっており、かかる病気の患者にその後深刻な影響を及ぼし、かかる患者を支援および治療するには社会に多額の負担を強いる。
【０００３】
それよりは少ないがやはり重要な、汚れた針とシリンジに伴うリスクが、不注意による針の刺し傷の可能性から生じる。これは、職業上の活動において、違法薬物の使用者に頻繁に遭遇する警察官や救急救命士にとって特に問題となる。さらに、違法薬物使用者の習慣によると、廃棄されたシリンジなどの彼らの活動の危険な副産物が公衆にアクセスできる場所にしばしば放置され、公園や学校の構内などの場所の利用者に対してリスクとなる。
【０００４】
人々がシリンジを使いまわす可能性を最小限に抑えるだけでなく、シリンジの外筒内に注入針を引き込むことによってシリンジを使用不能にし、不注意による他の人々との危険な接触から針を保護する効果的な１回使用シリンジが明らかに必要性とされている。
【０００５】
本出願人のオーストラリア特許出願第８６１４２／９８号（引用によりその全体が本願に組み込まれる）は、使用中にプランジャを回転させるよう協動するシリンジ外筒とプランジャとを提供することで上記の問題に対処する有力な方法を実施する、１回使用シリンジを開示している。プランジャがその元の向きから回転すると、針把持機構が、針座の受け止め手段と整列される。針は、把持機構により一旦係合されると、プランジャの引き戻しによりシリンジ外筒内に引き込まれる。
【０００６】
しかし、本発明者は、プランジャと針の係合が生じないように、プランジャの完全な押込みを避けることで、あるいは、押込み中に元の向きまでプランジャを回し戻すことを確実にすることで、しぶとい非行少年が前述シリンジを再使用することが可能であることを認識している。
【０００７】
（発明の概要）
１つの態様において、本発明は、少なくとも１個の突出部を有する協動外筒を有する１回使用シリンジ用プランジャを提供する。プランジャは、該少なくとも１個の突出部によりスライド係合可能な相互接続された複数個のスロットを備え、該スロット内での該少なくとも１個の突出部のスライド移動が制限され、それによりシリンジの再使用が防止されるようにされる。
【０００８】
別の態様において、本発明は、少なくとも２個のスロットを有する協動プランジャを有する１回使用の引き込み式シリンジ用カラーを提供する。カラーは、該協動プランジャの該少なくとも２個のスロットとスライド係合可能な第１ガイド突出部と第２ガイド突出部を備えている。
【０００９】
さらに別の態様において、本発明は、前述の態様によるプランジャを有する１回使用の引き込み式シリンジを提供する。
プランジャは、針の引き戻しを容易にするため、該プランジャによって係合可能な引き込み式針を有する１回使用シリンジ用であることが好ましい。
【００１０】
プランジャは、該複数個のスロットの少なくとも１つの内側で、該少なくとも１個の突出部のスライド移動を制限する移動制限手段から成ることが好ましい。
該移動制限手段は１または複数のゲートまたは当接部から成ることが好ましい。
【００１１】
１実施形態において、プランジャは、１個の突出部を有する協動外筒を有する１回使用シリンジ用である。
この実施形態において、相互接続された該複数個のスロットは、第１スロットと第２スロットとから成り、該第１スロットは、該第２スロットと合流するように偏っている。
【００１２】
プランジャは、第２スロットから第１スロット内への突出部の移動を制限するゲートをさらに備えることが好ましい。
プランジャは、該突出部による係合時にプランジャの後退を制限する、第２スロット内の１または複数のゲートまたは当接部をさらに備えることが好ましい。
【００１３】
プランジャは、プランジャの引き戻しを容易にする、第２スロットへの偏向部により接続される引き込みスロットをさらに備えることが好ましい。
別の実施形態において、プランジャは、第１および第２突出部を有する協動外筒を有する１回使用シリンジ用である。
【００１４】
この実施形態において、相互接続された該複数個のスロットは、第１スロットと、第２スロットと、引き込みスロットと、第４スロットとから成る。
この実施形態によると、引き込みスロットは偏向部により該第２スロットに接続されることにより、該プランジャの完全な引き込みを容易にすることが好ましい。
【００１５】
第１スロットと引き込みスロットは、シリンジの再使用を防止するため、該第２突出部と該第１突出部によりそれぞれ係合可能な当接部をそれぞれ含むことが好ましい。
【００１６】
第２スロットは、プランジャの後退を制限するため、第１突出部により係合可能な複数個の当接部を含むことが好ましい。
本明細を通して、特に明記されない限り、「成る、備える、有する（comprise）」とその変化形（comprises 、comprising）は、明記される完全体または複数の完全体の組が、１または複数の明記されない完全体または複数の完全体の組を包含することができるよう、排他的ではなく包括的に用いられる。
【００１７】
本発明を、添付図面に開示される実施形態を参照して以下に説明する。
（図面の詳細な説明）
図１では、オーストラリア特許出願第８６１４２／９８号に開示されたとおりの先行技術の引き込み式シリンジ１０が示される。該出願は引用により本願に組み込まれる。シリンジ１０は、中空外筒１２と、中空外筒１２内をスライド可能に配置されたプランジャ１５の針端１４に係合する針１３とを備えている。プランジャ１５は、プランジャ１５が使用後に引き込まれる際に、外筒１２からの針１３の取り外しを可能にするよう、針１３と係合できる。針１３が係合しているプランジャ１５を引き戻すと、中空外筒１２内に針１３が引き込まれ、かくして、使用済み針１３による皮膚の偶発的な穿刺あるいは静注薬物使用者による再使用が防止される。
【００１８】
使用中、プランジャ１５は、外筒１２からいかなる空気も排出するため、中空外筒１２の針端１４に向かってまず押込まれる。初期押込み終了時、針１３が外筒１２と係合したままであるよう、プランジャ１５は針１３とは係合しない。次に、プランジャをまず引き込む通常の様態で、注射される液体が、針１３を介して中空外筒１２内に引き込まれる。
【００１９】
空気を排出するためのプランジャ１５の初期押込み時に、対応するインターロック部２０，２１の半径方向の整列ずれを生じさせるため、また、液体を放出するためのプランジャ１５のその後の押込み時に半径方向の整列させるため、突出部（図示せず）が、プランジャ１５上に設けられた第１スロット１６および第２スロット１７と順次係合する。突出部は、シリンジ１０の組立中に外筒１２のガイド端１９上に装着されたカラー１８上に設けられる。突出部は、プランジャ１５がその内部をスライドするカラー１８から、半径方向を内側に向かって延びる。使用前に突出部がまず第１スロット１６と係合し、中空外筒１２から空気を排出するためのプランジャ１５の初期押込み時には突出部と第１スロット１６が係合しないよう、突出部と第１スロット１６の係合が、対応するインターロック部２０，２１と半径方向に整列しない状態で、カラー１８が外筒１２に取り付けられる。
【００２０】
第１スロット１６は、プランジャ１５のガイド端１９から、第１スロット１６が第２スロット１７と合流するように円周方向に偏向するプランジャ長さに沿って途中まで長手方向に延びる。プランジャ１５がその初期押込み直後に中空外筒１２内に液体を受け止めるよう引き込まれる際の、第１スロット１６の偏向の結果、カラー１８上の突出部（図示せず）が、第１スロット１６から、偏向部２３を介して、第２スロット１７まで導かれる。突出部が固定されると、その結果、プランジャ１５の対応インターロック部２１，２０と針１３とがそれぞれ整列するよう、プランジャが９０°回転される。第２スロット１７は針端１９に向かって、プランジャ１５に沿って長手方向に延びる。液体を放出するためにプランジャ１５をその後押込むと、対応インターロック部２０，２１は、プランジャ１５が引き込まれる際に、外筒１２からの針１３の取り外しと、針１３の外筒１２内への引き込みを可能にするよう、ストローク端で係合する。
【００２１】
本発明による１回使用の引き込み式シリンジ１１０用のプランジャ１１５の１実施形態が図２と図３に示される。カラー１１８と突出部１２２は図７〜１０で最もよく分かる。
【００２２】
図２を参照すると、第１スロット１１６第２スロット１１７は、第１偏向部１２３によって相互接続されている。先行技術の引き込み式シリンジで前述したように、針を引き込まなくてもプランジャ１１５の完全な押込みが生じるように、スロット１１６が突出部１２２と再び係合されるように、薬物乱用者が押込み中にプランジャ１１５の方向を変えることが可能である。
【００２３】
この可能性を防止するため、発明者は、第１偏向部１２３にゲート１２４を挿入した。ゲート１２４の機能は、スロット１１７への突出部１２２の通過を可能にするが、プランジャ１１５の回転後のスロット１１６内への突出部１２２の再進入を防止することである。突出部１２２のスロット１１７への進入後、プランジャと針（図２では図示せず）上の対応インターロック部が整列するよう、プランジャ１１５は永久的に位置決めされる。
【００２４】
本発明者は、使用者が外筒１１２内でのプランジャ１１５の完全な押込みを回避した場合に、オーストラリア特許出願第８６１４２／９８号に開示されるシリンジが、複数回使用されることにも気が付いている。この制限は、対応インターロック部の係合を回避する。
【００２５】
かかる使用を防止する手段を製作するため、本発明者は、第２スロット１１７内にゲート１２５Ａ，１２５Ｂ，１２５Ｃ，１２５Ｄを設けた。これらのゲートは、カラー１１８上の突出部１２２がスロット１１７に沿って、ゲート１２５Ａ〜Ｄを通り、針端１１４より末端方向のプランジャ１１５の端部に向かって移動を可能にする方向でオフセットされる。すなわち、ゲート１２５Ａ〜Ｄにより、プランジャ１１５の押込みが可能となる。ただし、突出部１２２がゲート１２５を通過するたびに、ゲート１２５Ａ，Ｂ，Ｃ，Ｄのいずれかに付き当たることで、通過したばかりのスロット１１７の部分への再進入を阻まれる。すなわち、外筒内でのプランジャの後退がゲート１２５Ａ〜Ｄにより防止される。
【００２６】
しかし、プランジャ１１５が押込まれ、インターロック部（図示せず）が整列すると、プランジャ１１５は引き込みのために針と係合する。ただし、突出部１２２が付き当たるゲート１２５Ａ〜Ｄの存在により、プランジャ１１５は、スロット１１７に沿って後退できない。したがって、シリンジの針と係合した場合に、プランジャ１１５の引き込みを可能にするために、引き込みスロット１２９が設けられる。引き込みスロット１２９と第２スロット１１７は、第２偏向部１２８により相互接続される。
【００２７】
次に図３を参照すると、第１スロット１１６から第２スロット１１７への突出部１２２のスライド移動は直線状である。ただし、第１スロット１１６へ突出部１２２をスライド移動で戻すいかなる試みもゲート１２４にぶつかる。ゲート１２４をこじ開けようとするいかなる試みも、偏向部１２３の壁１２６に対する妨害となる。加えられるいかなるその後の追加の力も、突出部１２２をスロット１１６へうまく押し戻せる可能性は低い。ゲート１２４の完全性が破壊された場合でも、変形されたゲート妨害する可能性が高く、それにより、シリンジ１１０のさらなる使用が防止される。ゲート１２５Ａ〜Ｄは同じ様な原理で動作する。しかし、ゲート１２５Ａ，Ｂ，Ｃは、プランジャ１１５の実質構造内で各凹部１２７Ａ，Ｂ，Ｃに隣接して配置される。凹部１２７Ａ〜Ｃは、突出部１２２のための停止位置を提供する。凹部１２７Ａ〜Ｃは、ゲート１２５がスロット１１７に干渉しないよう、突出部１２２の通過中、隣接ゲート１２５用の空隙も提供する。たとえば、ゲート１２５Ｂは、凹部１２７Ｃ内に押し進められた場合の、突出部１２２の通過を妨害しない。
【００２８】
図２と図３に示されるように、ゲート１２５Ｄは第２偏向部１２８を引き込みスロット１２９内に隣接させる。引き込みスロット１２９は、突出部１２２がゲート１２５Ｄと第２偏向部１２８内を進んだ後に一旦完全に押込まれると、プランジャ１１５（と係合された針）の引き込みを可能にする。第２スロット１１７と引き込みスロット１２９との間の第２偏向部１２８は周囲を取り巻き、内部を通る突出部１２２の移動が、プランジャ１１５のさらなる９０°の回転を駆動する。ここで、針はプランジャ１１５と確実に係合する。次に、突出部１２２が引き込みスロット１２９の終端壁１３０に接するまで、プランジャ１１５の引き込み動作により針１１３はシリンジ１１０の外筒１１２内に安全に引き込まれる。
【００２９】
図４と５に、ゲート１２４とゲート１２５Ａ〜Ｄの種々の構成が示される。図４において、ゲート１２５Ａにはスカロップ形アンダーカット１３１Ａが存在し、ゲート１２４にはスカロップ形アンダーカット１３１Ｂが存在する。これらのアンダーカットは、プランジャ１１５の簡単な動作を容易にするため、軟質蝶番を提供する。この図は、それぞれオフセットゲート１２５Ａとゲート１２４の外縁１３２Ａと１３２Ｂも図示し、これらは隣接面１３３Ａ，１３３Ｂとそれぞれ実質的に平行である。これは、望ましくない方向にガイド突出部を押し進めようという何らかの試みがなされた場合に、接触面積を増加する。
【００３０】
図５で、ゲート１２５Ａは、前面１３４と後面１３５を有する。後面１３５は、増加した厚みをゲート１２５Ａに与えることにより強度を増加する円弧を描く。後面１３５はまた、突出部１２２がゲート１２５Ａを通過した後に引き込み動作が試みられた場合に、突出部１２２の凹部１２７Ａ内への滑らかな曲線進入も提供する。突出部１２２の通過中、ゲート１２５Ａが、凹部１２７Ａ内へ蝶番式に移動することはこの図でも明らかである。
【００３１】
図６と７では、突出部１２２が第２スロット１１７に係合した場合にプランジャ１１５の引き込みが制限できるか防止できる、他の手段が図示される。
図６は、スロット２１７内のオフセットゲート２２５Ａ〜Ｄの代わりに傾斜部２５０Ａ〜Ｃなどの一連の当接部が使用された、本発明のプランジャ２１５の１実施形態の部分図である。各傾斜部２５０は、第２スロット２１７の基部２５２から立ち上がる湾曲面２５１で終端する。偏向部２２３と第２スロット２１７の接合部と、第２スロット２１７と第２偏向部２２８の接合部にそれぞれ位置する出っ張り部２５３Ａ，２５３Ｂも存在する。
【００３２】
初期引き込み中、突出部２２２は、第１スロット２１６から第１偏向部２２３内に、次に、出っ張り部２５３Ａを越えて第２スロット２１７までスライド移動することがわかる。それにより、突出部２２２は、出っ張り部２５３Ａに突き当たることで、第１偏向部２２３内への再進入を制限される。さらに、突出部２２２は、第２スロット２１７から出っ張り部２５３Ｂを越えて、第２偏向部２２８へスライド移動する。それにより、突出部２２２は、出っ張り部２５３Ｂに突き当たることで、第２スロット２１７内への再進入が制限される。
【００３３】
図７Ａは図６の実施形態の傾斜部２５０の側面断面図で、突出部２２２が、基端部材２５４と、エルボ２５５と、末端部材２５６とを有するアームの形状になっている。末端部材２５６は、傾斜部２５０の湾曲面と相補的な湾曲表面２５７で終端する。操作中、ガイド突出部２２２は弾性的で、基部２５２に沿ってスライドする。プランジャ２１５が、矢印で示される方向に引き込まれると、突出部２２２が傾斜部２５０によって移動される。突出部２２２は、傾斜部２５０をスライドして上がる際に、張力を加えられる。次に、突出部２２２は、傾斜部２５０を越えると、スロット２１７の基部２５２にパチッと弾装係合する。相補的な傾斜部２５０の湾曲面２５１と突出部２２２の湾曲表面２５７の係合は、使用後、その後退後にプランジャ２１５を押込もうとするいかなる試みも防止するか困難にする。
【００３４】
存在する傾斜部２５０またはオフセットゲート１２５の数が必要に応じて変更でき、本願に記載される数は例証のみを目的とすることは、当業者には明白である。図７Ｂは、図７Ａに図示される連続して傾斜した傾斜部２５０に対して、各平坦部３５８をそれぞれ有する多数の傾斜当接部３５０Ａ，Ｂ，Ｃを図示する。
【００３５】
図８は、本発明のシリンジ外筒と共に使用するのに適したカラー１１８の上面図を示す。カラー１１８は外筒とは別に記載されるが、本明細での外筒への参照は、適切な場合は、外筒とカラーへの参照を含む。突出部を外筒自体に取り付けることは可能であるが、シリンジと共に使用するためにカラー１１８上に取り付けるとより効率的かつ実用的である。
【００３６】
カラー１１８は、本発明によるプランジャ１１５の位置決め用の中心孔１６０を有する。カラー１１８は、本体１６１と、プランジャ１１５を受け止める台座１６５を形成する円形状壁１６２も有する。カラー１１８は、詳細が隠されて図示された外筒係合アーム１６４Ａ，１６４Ｂと連続する外壁１６３を有する。突出部１２２は孔１６０内に延びる。
【００３７】
図９はＡＡ線に沿った断面図で、湾曲端部１５７を備えた突出部１２２を図示する。壁１６２は、シリンジプランジャの端部を受け止める台座１６５を形成する。本体１６１は、それぞれフック１６６Ａ，１６６Ｂで終端する外筒把持アーム１６４Ａ，１６４Ｂと連続する。
【００３８】
図１０はＢＢ線に沿った図８のキャップの部分断面図である。この図は、基端部１５４と、エルボ１５５と、湾曲端部１５７で終端する末端部１５６とによって形成される突出部１２２を示している。突出部が協動プランジャ（図示せず）の表面に向かって傾斜するように、エルボは９０°を多少上回る角度をなす。たとえば傾斜部１５０との係合時、端部１５７の移動後に、突出部１２２が傾斜部１５０を越えた後に、パチッと戻るよう、突出部１２２は好ましくは弾性的に可撓性を有する。末端部１５６は、かかる傾斜部により半径方向外向きに移動され、その後、傾斜部１５０の通過後に半径方向内向きにパチッと跳ね返る。
【００３９】
突出部１２２の端部でのそのような半径は、第１スロット１１６から第２スロット１１７、または第２スロット１１７から引き込みスロット１２９へ移動する際に、外筒１１２に対してプランジャ１１５を回しやすくする。
【００４０】
突出部１２２の湾曲端１５７の別の利点は、傾斜部１５０を越えて移動する際に、傾斜部１５０と点接触のみを有する点にある。スロットを越えるいかなる突出も、周囲の外筒壁に対するプランジャの移動を妨害するため、突出部のいかなる屈曲も、それが位置するスロット内に保持されなければならないことは明白である。
【００４１】
本発明の別の実施形態が図１１〜１５に示される。
図１１，図１２で、プランジャ４１５は、第１偏向部４２３を介して第２スロット４１７に相互接続された第１スロット４１６と、第２偏向部４２８を介して引き込みスロット４２９に相互接続された第２スロット４１７と、第３偏向部４７１を介して第４スロット４７０に相互接続された引き込みスロット４２９と、第４偏向部４２７を介して第１スロット４１６に相互接続された第４スロット４７０とを有するプランジャ４１５が図示される。図１１の矢印で示されるように、第１スロット４１６と引き込みスロット４２９が互いに対して長手方向にオフセットされ、第２スロット４１８と第４スロット４７０が互いに対して長手方向にオフセットされ、第２偏向部４２８と第４偏向部４７２が互いに対して長手方向にオフセットされる。
【００４２】
図１２と図１３を特に参照すると、カラー４１８は、本体４６２と、外筒係合アーム４６４Ａ，４６４Ｂと、互いに長手方向にオフセットされた第１突出部４２２Ａ，第２突出部４２２Ｂとを有する。さらに、第１突出部４２２Ａは、シリンジ４１０内に組みつけられると、第２突出部４２２Ｂの方向とは反対方向、すなわち針端４１４に向かって突出する。
【００４３】
次に図１４Ａを参照すると、まず使用時に、第１突出部４２２Ａは第１スロット４１６内に位置し、第２突出部４２２Ｂは引き込みスロット４２９内に位置し、キャップ４８１（使用時、プランジャ４１５に取り付けられる）とカラー４１８を支えるバネによってこの位置に維持される。第１スロット４１６は傾斜部４７４の形態の当接部を含む。傾斜部４７４は第１スロット４２６内での突出部４２２Ａのスライド移動を制限しない。当接部４７５は引き込みスロット４２９内にも位置する。引き込みスロット４２９内の当接部４７５は傾斜部の形態でもよいが、ブロック状である。第２突出部４２２Ｂの（プランジャ４１５に対する）制限されたスライド移動は、外筒４１２から空気を排出するためにプランジャ４１５をまず押込む場合のように、図１４Ａの矢印の方向で可能となる。
【００４４】
次に図１４Ｂを参照すると、プランジャ４１５の後退が、突出部４２２Ａ，４２２Ｂがそれぞれ当接部４７４，４７５上を、これらを越えて移動する地点で生じる。前述のように、突出部４２２Ａ，４２２Ｂは弾性的に可撓性があることが好ましく、したがって、傾斜部４７４，当接部４７５をそれぞれ越えて通過する際に張力を加えられる。次に突出部４２２Ａ，４２２Ｂはスロット４１６，４２９にそれぞれ係合状態にパチッと戻る。突出部４２２Ｂは外筒４１２のガイド端４１９に面するため、プランジャ４１５は、当接部４７５を支える第２突出部４２２Ｂにより、それが来た方向にスライドして戻ることを防止される。これは、外筒内のいかなる物質も放出されないよう、プランジャ４１５の押込みを制限する。かくして、図１４Ｂの矢印の方向でのプランジャ４１５の後退の完了が実施され、あるいはシリンジ外筒内の物質が注射できない。
【００４５】
第４偏向部４７２，第２偏向部４２８と同様に、突出部４２２Ａ，４２２Ｂが長手方向にオフセットされるため、使用中、突出部４２２Ａ，４２２Ｂはそれぞれ第１スロット４１７と引き込みスロット４２９に沿って導かれ、それぞれ第４スロット４７０と第２スロットに回転して戻ることができないことに注目しなければならない。また、出っ張り部４７６Ａ，４７６Ｂ，４７６Ｃ，４７６Ｄの形態をした、適切なスロット内に突出部４２２Ａおよび／または４２２Ｂを導くことを支援する当接部が設けられる。これらは、各偏向部とスロットの接合部に位置する出っ張り部を支える突出部４２２Ａおよび／または４２２Ｂによって出される偏向部への突出部４２２Ａまたは４２２Ｂの望ましくない移動を防止する。
【００４６】
プランジャ後退の完了の後、第１突出部４２２Ａが第１偏向部４２３を介して第２スロット４１７内にスライド移動し、第２突出部４２２Ｂが、引き込みスロット４２９から偏向部４７１を介して第４スロット内にスライド移動する。これは、カラー４１８と外筒４１２に対するプランジャ４１５の９０℃回転を生じさせる。
【００４７】
外筒４１５内へ物質を注射するプランジャ４１５の押込みは、第１突出部４２２Ａが第２スロット４１７内にスライド式に配置され、第２突出部４２２Ｂが第４スロット４７０内にスライド式に配置された場合に生じる。
【００４８】
図１５で最もよく分かるように、第２スロット４１７は、本例では傾斜部４５０Ａ，４５０Ｂ，４５０Ｃ，４５０Ｄの形態の、複数個の当接部を有する。プランジャ４１５が注射のために押込まれると、前述実施形態で説明したのと同様の様態で、第１突出部４２２Ａが、プランジャ４１５の引き込みを制限するため、傾斜部４５０Ａ，４５０Ｂ，４５０Ｃ，４５０Ｄのいずれか１個を支える。ただし、第２突出部４２２Ｂは、第４スロット４７０内を自在にスライド可能である。
【００４９】
プランジャ４１５の押込みの最後に、プランジャ４１５の針端４１４は、前述のように、針４１３と整列し、針４１３に係合する。
針４１３の引き込み中、第１突出部４２２Ａは、第２偏向部４２８を介して引き込みスロット４２９内に移動され、第２突出部４２２Ｂは、第４スロット４７０から第４偏向部４７２を介して第１スロット４１６内に移動する。これは、カラー４１８と外筒４１２に対するプランジャ４１５のさらに９０°の回転を生じる。図１４Ｃに図示される位置への針の引き込みの完了時、プランジャ４１５は合計で１８０°回転したことになる。
【００５０】
図１４Ｃに図示されるように、プランジャ４１５と針４１３の引き込み後、第２突出部４２２Ｂが、第１スロット４１６内で当接部４７４を支えることによりプランジャ４１５の押込みを防止し、第１突出部４２２Ａが、引き込みスロット４２９内で当接部４７５を支えることよりプランジャ４１５の後退または引き込みを防止する。かくして、シリンジ４１０は第１回目の使用を超えて操作できなくなる。
【００５１】
明細書全体にわたって、その目的は、いずれかの実施形態または特定の特徴の集合に本発明を限定することなく、本発明の好ましい実施形態を説明することである。本発明から逸脱することなく、説明し、図示した実施形態には種々の変更と改変を行うことが可能である。特に、プランジャ移動を制限するために本願で開示されるゲート、当接部、出っ張り部、およびその他の手段が当業者によって望み通りに簡単に交換できることが想定される。
【図面の簡単な説明】
【図１】オーストラリア特許出願第８６１４２／９８号に開示された引き込み式シリンジの概略断面立面図。
【図２】本発明の第１実施形態の引き込み式シリンジのプランジャの側面図。
【図３】図２のシリンジプランジャの拡大図。
【図４】図２のシリンジプランジャの第１および第２スロットの間の接合部の詳細図。
【図５】本発明のシリンジプランジャのさらなる実施形態における第１および第２スロットの接合部の詳細図。
【図６】本発明のプランジャのさらなる実施形態の上面図。
【図７Ａ】図６のプランジャの一部と、シリンジ外筒の対応ガイド突出部の側面図であり、プランジャの第２スロットが、傾斜部の形状の１個の当接部から成る。
【図７Ｂ】図６のプランジャの一部と、シリンジ外筒の対応ガイド突出部の側面図であり、プランジャの第２スロットが、複数個の傾斜部から成る。
【図８】シリンジ外筒と使用するカラーの上面図。
【図９】ＡＡ線に沿った図８のカラーの断面図。
【図１０】ＢＢ線に沿った図８のカラーの部分断面図。
【図１１】プランジャとカラーの分解斜視図。
【図１２】引き込み式１回使用シリンジの分解斜視図。
【図１３】第１および第２ガイド突出部を有するカラーの断面図。
【図１４Ａ】外筒から空気を排出するためのプランジャの初期押込み中の、プランジャおよび第１ならびに第２突出部を有するカラーの断面立面図。
【図１４Ｂ】シリンジ外筒を満たすためのプランジャの初期後退後の、プランジャおよび第１ならびに第２突出部を有するカラーの断面立面図。
【図１４】針の引き込み後の、プランジャおよび第１ならびに第２突出部を有するカラーの断面立面図。
【図１５】プランジャの第２スロット内の複数個の当接部を示す、プランジャおよびカラーの斜視図。
【図１】
0004891512.tif 000002
【図２】
0004891512.tif 000003
【図３】
0004891512.tif 000004
【図４】
0004891512.tif 000005
【図５】
0004891512.tif 000006
【図６】
0004891512.tif 000007
【図７Ａ】
0004891512.tif 000008
【図７Ｂ】
0004891512.tif 000009
【図８】
0004891512.tif 000010
【図９】
0004891512.tif 000011
【図１０】
0004891512.tif 000012
【図１１Ａ】
0004891512.tif 000013
【図１１Ｂ】
0004891512.tif 000014
【図１２】
0004891512.tif 000015
【図１３】
0004891512.tif 000016
【図１４Ａ】
0004891512.tif 000017
【図１４Ｂ】
0004891512.tif 000018
【図１４Ｃ】
0004891512.tif 000019
【図１５】
0004891512.tif 000020